(57)【特許請求の範囲】
【請求項１】
一対の電極を収容した電解槽と、前記一対の電極間に所定の電圧を印加する電圧印加手段と、前記一対の電極間に流れる電流を検出する電流センサとを具備し、原水に濃塩水を混合して前記電解槽に供給した希塩水を同電解槽内で電気分解して電解水を生成する電解水生成装置であり、
当該電解水生成装置は、前記電圧の印加を停止した後電圧を印加していない間に前記電流センサにより第１電流値を検出する第１電流値検出手段と、前記第１電流値を補正値として記憶する補正値記憶手段と、前記第１電流値を記憶した時点以降であって初めて前記電圧を印加している間に前記電流センサにより前記一対の電極間に流れる第２電流値を検出して、前記補正値に基づいて前記第２電流値を補正する電流値補正手段とを備え、
前記第１電流値検出手段は、前記電圧の印加を停止した直後の時点、前記電圧の印加を停止した直後から前記電解槽内に残存するイオンを排出するのに必要な所定時間が経過するまでの時点、および、前記所定時間が経過した時点のいずれかの時点で、前記電流センサにより、前記第１電流値を検出することを特徴とする電解水生成装置。
【請求項２】
請求項１に記載の電解水生成装置において、前記補正値記憶手段は、前記第１電流値検出手段により検出した前記第１電流値と、前記補正値記憶手段に記憶されている前記補正値との差の絶対値を算出し、この絶対値が所定値より大きければ、前記検出した第１電流値を前記補正値として更新して記憶することを特徴とする電解水生成装置。
【発明の詳細な説明】
【０００１】
【発明の属する技術分野】
本発明は、希塩水を電解槽内の一対の電極間に電圧を加えることにより電気分解して、電解水を生成する電解水生成装置に関する。
【０００２】
【従来の技術】
従来から、この種の電解水生成装置は、外部からの水（原水）を連続的に電解槽に供給するとともに、電解槽内の一対の電極間に電圧を印加してこの水を電気分解することにより電解水を生成している。また、この電解槽に供給する水にはタンク内に蓄えられている濃塩水を連続的に供給して希塩水とし、電気分解を促進するようにしている。このとき、電解槽内の一対の電極間の電流を電流センサにより検出し、この検出した電流値に基づいて希塩水の濃度が所定値となるように濃塩水および水の供給量を制御していた。しかし、このような電解水生成装置によく使用される半導体を利用した電流センサにおいては、検出した電流値が実際の電流値とずれ、正確な電流を検出することができないことにより、所望のｐＨ値の電解水を供給することができない場合があった。
【０００３】
これに対し特開平１１―５７７１６号公報には、ゼロ点調整用スイッチを設けこのスイッチを操作した時点の電流センサの検出値を記憶し、実際の電解水生成制御において、電流センサの検出値を前記記憶した検出値分だけ補正（加算または減算）する技術が記載されている。また、ゼロ点調整用スイッチを設けなくとも、電解水生成装置の電源投入時から注出スイッチ操作による電解水生成開始前までの期間、或は、原水及び濃塩水の供給が停止され電解水が生成されていない期間に、電極間に電源から自動的に所定電圧を与え、その時点の電流センサ検出値を記憶して、以降の制御時に用いるよう構成する技術も記載されている。
【０００４】
また、電解水生成装置の電源投入時から電解水生成開始前までに電流センサにより電流値を検出し記憶し、その後電解水を生成しているとき電流センサにより検出した電流値を、先に検出し記憶した電流値に基づいて補正することも行われていた。
【０００５】
【発明が解決しようとする課題】
しかしながら、前者すなわち特開平１１―５７７１６号公報においては、電流センサにより検出した電流値と実際の電流値とのずれを補正するという課題が提起されているがこの補正を必要とする背景および何時どのようにして行うのかについての記載がないので、この記載に基づいて電流センサにより検出した電流値と実際の電流値とのずれを補正することを実施することはできない。
【０００６】
また、後者の補正方法においては、次のような問題がある。電解水生成装置の内部温度（電流センサの周囲温度）は、一般的に、装置の電源投入時から電解水生成の開始まで常温から徐々に上昇し飽和するものの比較的低い温度のままであり、電解水生成が開始されると上昇し、その後電解水生成が停止されると下降する。そして、電解水の生成・停止が繰り返し実行されると、内部温度はこの生成・停止に合わせて上昇・下降を繰り返し全体として上昇して飽和する。したがって、補正に使用する電流値の電流センサによる検出および記憶は、電解水生成がまだ行われていない内部温度が比較的低いときに行われ、その後電解水を生成しているときの電流センサによる電流値の検出は、内部温度が高いときに行われることとなる。一方半導体を利用した電流センサは検出するときの周囲温度が高くなるにしたがって出力が大きく変化するので、先に低い温度にて検出し記憶した電流値に基づいて、温度が上昇した電解生成中において検出した電流値を補正すると、補正した電流値は実際の電流値とずれたものとなるという問題がある。
【０００７】
本発明は、上記各問題に対処するためになされたもので、その目的は、電流センサにより検出した電流値と実際の電流値とのずれを適切に補正することができる電解水生成装置を提供することにある。
【０００８】
【課題を解決するための手段】
本発明は、電解水生成装置に関する。本発明が適用対象とする電解水生成装置は、一対の電極を収容した電解槽と、一対の電極間に所定の電圧を印加する電圧印加手段と、一対の電極間に流れる電流を検出する電流センサとを具備し、原水に濃塩水を混合して前記電解槽に供給した希塩水を同電解槽内で電気分解して電解水を生成する電解水生成装置である。
【０００９】
しかして、本発明に係る電解水生成装置は、電圧の印加を停止した後電圧を印加していない間に電流センサにより第１電流値を検出する第１電流値検出手段と、第１電流値を補正値として記憶する補正値記憶手段と、第１電流値を記憶した時点以降であって初めて電圧を印加している間に電流センサにより一対の電極間に流れる第２電流値を検出して、補正値に基づいて、検出した第２電流値を補正する電流値補正手段とを備えものである。
【００１０】
本発明に係る電解水生成装置を構成する第１電流値検出手段は、電圧の印加を停止した直後の時点、電圧の印加を停止した直後から電解槽内に残存するイオンを排出するのに必要な所定時間が経過するまでの時点、および、所定時間が経過した時点のいずれかの時点で、電流センサにより、第１電流値を検出することを特徴とするものである。
【００１１】
本発明に係る電解水生成装置においては、前記補正値記憶手段を、第１電流値検出手段により検出した第１電流値と、補正値記憶手段に記憶されている補正値との差の絶対値を算出し、この絶対値が所定値より大きければ、検出した第１電流値を補正値として更新して記憶するように構成することができる。
【００１４】
【発明の効果】
本発明に係る電解水生成装置においては、第１電流値の検出および記憶を、電圧の印加を停止した直後の時点、電圧の印加を停止した直後から前記電解槽内に残存するイオンを排出するのに必要な所定時間が経過するまでの時点、および、所定時間が経過した時点のいずれかの時点で行っている。これらの時点は、電圧の印加（電解水の生成）を停止した後の装置の内部温度（電流センサの周囲温度）がまだ高いときである。一方、第２電流値の検出は、内部温度が再び上昇したときに行われるが、この温度上昇は飽和に近づいた付近で行われるのでそれ程大きくはならない。このため、第１および第２電流値を検出した時の各内部温度の差は従来より小さくなって、電流センサにより検出した第２電流値を適切に補正することができるので、所望のｐＨ値の電解水を生成することができる。
【００１５】
本発明に係る電解水生成装置においては、残存イオンは、電圧印加を停止して所定時間経過した後にはなくなり、これに起因して電流値も０となる。当該所定時間経過した後においては残存イオンによる影響がなくなり、電解水生成装置の内部温度の低下により、次の電圧を印加している間の内部温度との差は増大する。したがって、補正された第２電流値と実際の電流値とのずれは、上述した所定時間が経過した時点までに検出した第１電流値を使って補正したものと比べ大きくなる一方である。このため、上述した所定時間が経過した時点までに第１電流値を検出し、これを記憶するようにすれば、電流センサにより検出した第２電流値を一層適切に補正して、所望のｐＨ値の電解水を生成することができる。
【００１６】
また、補正値記憶手段が、第１電流値検出手段により検出した第１電流値と、補正値記憶手段に記憶されている補正値との差の絶対値を算出し、この絶対値が所定値より大きければ、検出した第１電流値を補正値として更新して記憶するものによれば、上記した各作用・効果に加えてさらに、記憶されている補正値を検出した時点の装置の内部温度と、第１電流値を検出した時点の装置の内部温度がほとんど同じであり、検出した第１電流値と記憶されている補正値との差の絶対値が所定値以下となる場合には、第１電流値を検出する度毎にこの検出した第１電流値を補正値として記憶しなくてもよくなる。したがって、この記憶処理を無駄に実施するのを防止して、必要なときにのみ実施することができる。
【００１９】
【発明の実施の形態】
以下、本発明の一実施形態を図面を用いて説明すると、図１は電解水生成装置を概略的に示している。
【００２０】
この電解水生成装置は生成器本体１と濃塩水タンク３０とリモートコントローラ４５等を備えている。また、生成器本体１は電解槽１０を含む水路系部品と電気制御回路６０を含む電気系部品とからなっている。
【００２１】
電解槽１０の内部は隔膜１１によって一対の電極室１２，１３に区画されており、各電極室１２，１３にはそれぞれ給水管２０を介して水（原水）が供給される。各電極室１２，１３はそれぞれ電極１４，１５を互いに対向させて収容しており、電源４０が両電極１４，１５に正負の直流電圧を印加するように接続されている。この電源から直流電圧が両電極１４，１５に印加されることで前記供給された水が電気分解されて電解水が生成される。電解槽１０の各電極室１２，１３には導出管１６，１７（通路）がそれぞれ接続されており、電解水はその先端部である注出口１６ａ，１７ａから外部へ注出される。
【００２２】
電源４０と両電極１４，１５の間には、これら電極１４，１５間に流れる電流を検出するための電流センサ５０が設けられている。この電流センサ５０は、Ｃ字状に形成された磁性体のコアと、このコアの切欠き部分に介在させたホール素子とからなり、前記コア内側に貫通させた電源４０と電極１５（または電極１４）を接続する電線に流れる電流を電圧に変換して電気制御回路６０に出力するものである。また、電流センサ５０は半導体を利用しており、検出するときの周囲温度が高くなるにしたがって出力が大きく変化するものである。また、前記した電源４０は電気制御回路６０に接続されている。
【００２３】
給水管２０は、図示しない外部給水源（例えば水道）から水が供給されるよう構成されるとともに、上流から下流に向かう順に減圧弁２１及び開閉弁であるウオーターバルブ２２（ＷＶ）を介装している。減圧弁２１は外部給水源から圧送される水の圧力を減圧し、所定圧力範囲内に保つ。ウオーターバルブ２２は電気制御回路６０に電気的に接続されて開閉制御され、開状態（オン）にて外部からの水を供給管２０を介して電解槽１０へ供給する。
【００２４】
濃塩水タンク３０は生成器本体１とは別体であり、内部に濃塩水を蓄えている。この濃塩水タンク３０には電気制御回路６０に接続された水位センサ３３と、塩水吸い込み管５５がタンク３０上部から挿入されている。塩水吸い込み管５５は生成器本体１内にてポンプ３８の入力部に接続される。ポンプ３８の出力部は濃塩水供給管３７に接続され、この濃塩水供給管３７は逆止弁３９を介して前述の給水管２０のウオーターバルブ２２下流の位置に接続される。ポンプ３８は電動式であり、電気制御回路６０と電気的に接続され、圧送量が可変に制御されるよう構成されている。従って、ポンプ３８は濃塩水タンク３０から、その送出量に応じた濃塩水を吸引し、出力部から濃塩水供給管３７に送出し、その結果、電解槽１０には濃塩水タンク３０からの濃塩水と外部給水源からの水とが混合された希塩水が給水管２０を介して供給されることになる。すなわち、このポンプ３８の圧送量制御により濃塩水の添加量が制御されることになる。
【００２５】
リモートコントローラ４５も、生成器本体１とは別体に構成され、導出管１６，１７の注出口１６ａ，１７ａ付近に配置される。このリモートコントローラ４５には、電気制御回路６０に接続された表示ランプ４３及び注出スイッチ４１（操作スイッチ）が備えられる。表示ランプ４３は電気制御回路６０から表示制御信号を受けて点灯制御される。また、注出スイッチ４１は生成器本体１内の各部に電解水生成の作動の開始、終了を指示するための開始信号、終了信号を含む操作信号を電気制御回路６０に送出する。なお、この注出スイッチ４１は使用者が一度押圧すればオン状態を保ち、再度押圧するとオフ状態を保つよう構成されている。
【００２６】
この電解水生成装置は、上記ウオーターバルブ２２、ポンプ３８、電源４０、表示ランプ４３、注出スイッチ４１及び電流センサ５０に接続された電気制御回路６０を備えている。電気制御回路６０はマイクロコンピュータにより構成され、本実施形態においては図２及び図３に示すフローチャート（ルーチン）に対応したプログラムを実行して、ウオーターバルブ２２の開閉、ポンプ３８、及び電源４０の作動制御を行う。なお、本実施形態における上記ウオーターバルブ２２等の動作及び後述するフラグの状態が図５に示されている。また、図２のルーチンは前述のマイクロコンピュータにより所定時間毎に実行される。
【００２７】
次に、上記のように構成した電解水生成装置の動作を説明する。電気制御回路６０は図示しないメイン電源が投入された段階で各フラグＦ，Ｇを「０」にクリアする。そして、図２のルーチンを上記所定時間毎にてステップ１００から実行し、ステップ１０２にて注出スイッチ４１がオンとなっているか、オフになっているかを判定する。メイン電源を投入後注出スイッチ４１がオフの状態であれば、ステップ１０２にて「Ｎｏ」と判定し、ステップ１１６にてポンプ３８を停止制御し（停止状態を維持し）、各ステップ１１８，１２０，１２２にてそれぞれ「Ｎｏ」と判定し、プログラムをステップ１１４に進め、同ステップ１１４にて本ルーチンを一旦終了する。この制御は、次に注出スイッチ４１がオンされるまで繰り返し実行される。
【００２８】
時刻ｔ１（図５参照）にて使用者が注出スイッチ４１をオフからオンに変更すると、ステップ１０２にて「ＹＥＳ」と判定し、電解水生成のための処置を以降のステップで実行する。すなわち、ステップ１０４にて電源４０から電極１４，１５間に一定電圧Ｖ０を印加させ、ステップ１０６にてウオーターバルブ２２をオン（開）して原水の供給を開始させ、ステップ１０８にて電流センサ５０により両電極１４，１５間に流れる第２電流値Ｉa2を検出し、ステップ１１０にてこの検出した第２電流値Ｉa2を補正する。具体的には、第２電流値Ｉa2に、電気制御回路内６０に予め記憶しておいた所定値例えば「０」または前回電源の投入時に記憶した後述する補正値Ｉcを減算（補正値Ｉcが負の場合は加算となる）することにより補正電流値Ｉbに補正する。そして、ステップ１１２にて図３に示すサブルーチンを実行し、ポンプ３８による添加量フィードバック制御を開始する。その後プログラムはステップ１１４に進められ本ルーチンを一旦終了する。
【００２９】
ここで、図３に基づいて上記添加量フィードバックサブルーチンを説明する。前述のように電極１４，１５間には電源４０による直流電圧（一定電圧Ｖ０）が印加され、電気分解を行うが、その際の補正された補正電流値Ｉbが導電率（イオン伝導度）を表す。そこで所望の電解水を得るためには、この補正電流値Ｉbを電流目標値ＩＴとすればよく、濃塩水の添加量を増減してこれを達成する。なお、この電流目標値ＩＴは、注出される電解水（アルカリ性水及び酸性水）が、要求されるｐＨ値になるように設定されたものである。そこで、図３のサブルーチンでは、補正電流値Ｉbが電流目標値ＩＴより大きい場合には、補正電流値Ｉbを低下させる。すなわち、濃塩水タンクから供給される濃塩水の添加量を減少させるべくポンプ３８の圧送量Ｐを△Ｐだけ低下させ（ステップ２００，２０２，２０６及び２０８）、補正電流値Ｉbが電流目標値ＩＴより小さい場合には補正電流値Ｉbを増加させるべく濃塩水の添加量を増加させる。すなわち、ポンプ３８の圧送量Ｐを△Ｐだけ増大させる（ステップ２００，２０２，２０４及び２０８）。また、補正電流値Ｉbが電流目標値ＩＴと等しい場合には、そのままの圧送量Ｐを維持する（ステップ２００，２０２及び２０８）。
【００３０】
上述したステップ１００，１０２，１０４〜１１４による制御は、次に注出スイッチ４１がオフされるまでは繰り返し実行され、この間に電解水が生成・注出される。
【００３１】
電気制御回路６０はその後も所定時間毎に図２のルーチンを実行するので、時刻ｔ２（図５参照）にて使用者が注出スイッチ４１をオフとすると、ステップ１０２にて「Ｎｏ」と判定し、電解水生成停止処置を実行するべくステップ１１６へとプログラムを進め、ステップ１１６にてポンプ３８を停止し、濃塩水の電解槽への供給を停止させる。続くステップ１１８，１２０，１２２，１２４〜１３２においては、補正された補正電流値Ｉbが所定基準値Ｉ０より小さくなるまで（電解槽１０内のイオン伝導度が所定値以下となるまで）、電極１４，１５間に電源４０から一定電圧Ｖ１を印加し、補正電流値Ｉbが所定基準値Ｉ０より小さくなったか否かをモニターする。この期間も、原水の供給は継続される。
【００３２】
具体的にはまずステップ１１８にてフラグＧが「１」であるか否かを判定する。フラグＧは後述するタイマー起動のためのフラグであり、電流センサ５０により検出した第２電流値Ｉa2を補正した補正電流値Ｉbが所定基準値Ｉ０以下となるまでは「０」に保れるようになっている。すなわち、この時刻ｔ２ではフラグＧは「０」（起動時にクリアされている）であるので、プログラムはステップ１２０に進められ、フラグＦが「１」か否かを判定する。フラグＦは原水の供給を濃塩水の供給停止後も継続するとともに電極１４，１５間に一定電圧を印加するためのフラグであるが、この時点では「０」であるので、ステップ１２０にて「Ｎｏ」と判定され、プログラムはステップ１２２へ進められる。
【００３３】
ステップ１２２においては、本ルーチンを前回実行した際の注出スイッチ４１の状態がオンであったか否かを判定する。オンであった場合には、今回初めて注出スイッチ４１がオフへと変化したことを意味するので、原水の継続供給の実行及び一定電圧Ｖ１の印加を開始すべくステップ１２４にてフラグＦを「１」へ変更してプログラムをステップ１２６に進める。なお、このフラグＦの「１」への変更により、次回以降の本ルーチン実行時には、プログラムをステップ１２０からステップ１２６へと直接進められるようになる。
【００３４】
電気制御回路６０は、ステップ１２６にて電源４０から電極１４，１５間に一定電圧Ｖ１を印加させ、ステップ１２８にて電流センサ５０により両電極１４，１５間に流れる第２電流値Ｉa2を検出し、ステップ１３０にて上記ステップ１１０と同様に第２電流値Ｉa2を補正電流値Ｉbに補正する。そして、ステップ１３２にて、補正電流値Ｉbと所定基準値Ｉ０とを比較し、補正電流値Ｉbが所定基準値Ｉ０より大きければ「Ｎｏ」と判定しプログラムをステップ１１４に進め、同ステップ１１４にて一旦本ルーチンを終了する。この時点では、電解水の生成を終了した直後であり、補正電流値Ｉbは所定基準値Ｉ０より大きいので、補正電流値Ｉbが所定基準値Ｉ０以下になるまで、ステップ１００，１０２，１１６〜１２０，１２６〜１３２，１１４が繰り返し実行され、電極１４，１５間への所定電圧Ｖ１の印加が継続される。なお、所定基準値Ｉ０は、所定基準値Ｉ０が示すイオン伝導度まで低下した電解水（酸性水及びアルカリ水）であれば、電解水生成装置停止後に装置内に残存しても、酸性水による金属部分の腐食やアルカリ性水によるカルシウムの装置内への付着が防止できる値に設定された値である。
【００３５】
したがって、時刻ｔ２以降においては、濃塩水の供給を停止し、原水の供給のみ継続しているので、電解槽内の電解水が次第に希釈化され、従ってイオン伝導度が小さくなってくる。これに伴い補正電流値Ｉbも次第に減少し、時刻ｔ３にて所定基準値Ｉ０より小さくなる。
【００３６】
この時刻ｔ３（図５参照）にて、電気制御回路６０は、ステップ１３２にて「Ｙｅｓ」と判定し、プログラムをステップ１３４に進め、ステップ１３４にて電極１４，１５間への所定電圧Ｖ１の印加を停止し、各フラグＦ，Ｇをそれぞれ「０」，「１」へ変更してプログラムをステップ１３６に進める。なお、このフラグＧの「１」への変更により、次回以降の本ルーチン実行時には、プログラムをステップ１１８からステップ１３６へと直接進められるようになる。
【００３７】
電気制御回路６０は、ステップ１３６にて、この時点までは「０」に保たれていたタイマー値Ｔに初めて「１」を加算して、実質的にタイマーを起動させ、続くステップ１３８にてタイマー値Ｔが所定時間（第１の所定時間）Ｔ０以上になったか否かを判定し、タイマー値Ｔが所定時間Ｔ０より小さければ「Ｎｏ」と判定しプログラムをステップ１１４に進め、同ステップ１１４にて一旦本ルーチンを終了する。この時点では、タイマーを起動させた直後であり、タイマー値Ｔは所定時間Ｔ０より小さいので、プログラムをステップ１１４に進め、タイマー値Ｔが所定時間Ｔ０以上になるまで、ステップ１００，１０２，１１６，１１８，１３６，１３８，１１４が所定時間間隔にて繰り返し実行される。なお、所定時間Ｔ０は電圧印加後に電解槽内に残存するイオンが排出されてこれに起因する電流が０となるのに必要な時間に設定されている。
【００３８】
所定時間Ｔ０が経過した時刻ｔ４（図５参照）になると、ステップ１３８にて「Ｙｅｓ」と判定するので、プログラムをステップ１４０に進め、電流センサ５０により電極１４，１５間の第１電流値Ｉa1を検出し、ステップ１４２にて次回の電解水生成・注出のために検出した第１電流値Ｉa1を補正値Ｉcとして電気制御回路６０内に記憶する。そして、ステップ１４４にて、ウオーターバルブ２２をオフ（閉）して原水の供給を停止し、次回の処理のためにフラグＧおよびタイマー値Ｔを「０」にクリアする。その後プログラムはステップ１１４に進められ本ルーチンを一旦終了する。
【００３９】
時刻ｔ４以降次に注出スイッチ４１がオンされるまで、上述したステップ１００，１０２，１１６〜１２２，１１４による制御が繰り返し実行され、この間は電解水の生成・注出が停止される。
【００４０】
そして、再び使用者が注出スイッチ４１をオンとすると再び電解水が生成・注出され始め、次に同スイッチ４１がオフされるまで上述した時刻ｔ１から時刻ｔ２までの制御（ステップ１００，１０２，１０４〜１１４の制御の繰り返し）と同様に電解水が生成・注出されることとなる。このとき、ステップ１１０においては、電流センサ５０により検出した第２電流値Ｉa2に上述したステップ１４０，１４２にて検出して記憶した補正値Ｉcを減算（補正値Ｉcが負の場合は加算となる）することにより補正電流値Ｉbに補正する。以降、上述した電解水の生成とその停止が注出スイッチ４１のオン・オフ状態に合わせて繰り返し行われることとなる。
【００４１】
上記説明からも理解できるように、上記実施形態においては、第１電流値Ｉa1の検出および補正値Ｉcの記憶は、電圧の印加（電解水の生成）を停止した後電圧を印加していないとき（例えば時刻ｔ４）の装置の内部温度（電流センサ５０の周囲温度）がまだ高いときに行われ（ステップ１４０，１４２）、その後初めて電圧を印加している間の第２電流値Ｉa2の検出（ステップ１０８）は、内部温度が再び上昇したときに行われるが、この温度上昇は飽和に近づいた付近で行われるのでそれ程大きくはならない。したがって、第１電流値Ｉa1および第２電流値Ｉa2を検出した時の各内部温度の差は従来より小さくなる。これにより電流センサにより検出した第２電流値Ｉa2を補正電流値Ｉbに適切に補正することができるので（ステップ１１０）、所望のｐＨ値の電解水を供給することができる。
【００４２】
なお、上記実施形態においては、電圧の印加を停止した直後（時刻ｔ３）から電解槽内に残存するイオンを排出するのに必要な所定時間Ｔ０が経過した時点（時刻ｔ４）において検出した第１電流値Ｉa1を補正値Ｉcとして記憶していたが、時刻ｔ３から時刻ｔ４までの間において検出した第１電流値Ｉa1を補正値Ｉcとして記憶するようにしてもよい。この場合にも、第１電流値Ｉa1を記憶した時点以降であって初めて電圧を印加している間に、電流センサ５０により一対の電極１４，１５間に流れる第２電流値Ｉa2を検出して、検出した第２電流値Ｉa2を補正値Ｉcに基づいて補正電流値Ｉbに補正する。
【００４３】
また、上記実施形態においては、電圧の印加を停止した直後（時刻ｔ３）から電解槽内に残存するイオンを排出するのに必要な所定時間Ｔ０が経過した時点（時刻ｔ４）において検出した第１電流値Ｉa1を補正値Ｉcとして記憶していたが、電圧の印加を停止した直後（時刻ｔ３）において検出した第１電流値Ｉa1を補正値Ｉcとして記憶するようにしてもよい。この場合にも、第１電流値Ｉa1を記憶した時点以降であって初めて電圧を印加している間に、電流センサ５０により一対の電極１４，１５間に流れる第２電流値Ｉa2を検出して、検出した第２電流値Ｉa2を補正値Ｉcに基づいて補正電流値Ｉbに補正する。
【００４４】
これら前述したものからも理解できるように、電圧の印加を停止した直後（時刻ｔ３）から、電解槽内に残存するイオンを排出するのに必要な所定時間（第１の所定時間）Ｔ０が経過した時点（時刻ｔ４）までの期間に電流センサ５０により第１電流値Ｉa1を検出するものによれば、上記した各作用・効果に加えて、次のような作用・効果を得ることができる。電圧印加の停止後、残存イオンは所定時間Ｔ０経過後にはなくなり、これに起因する電流も０となる。この所定時間Ｔ０経過後においては、残存イオンによる影響がなくなり電解水生成装置の内部温度の低下により、次の電圧を印加している間の内部温度との差は増大する。したがって、補正された補正電流値Ｉbと実際の電流値とのずれは、上述した所定時間Ｔ０が経過した時点までに検出した第１電流値Ｉa1を使って補正したものと比べ大きくなる一方である。これにより、上述した所定時間Ｔ０が経過した時点までに第１電流値Ｉa1を検出するものによれば、電流センサ５０により検出した第２電流値Ｉa2を一層適切に補正して、所望のｐＨ値の電解水を供給することができる。
【００４５】
また、上記実施形態においては、電圧の印加を停止した直後（時刻ｔ３）から電解槽内に残存するイオンを排出するのに必要な所定時間Ｔ０が経過した時点（時刻ｔ４）において検出した第１電流値Ｉa1を補正値Ｉcとして記憶していたが、所定時間Ｔ０が経過した時点（時刻ｔ４）からさらに任意の第２の所定時間が経過した時点において検出した第１電流値Ｉa1を補正値Ｉcとして記憶するようにしてもよい。この場合にも、第１電流値Ｉa1を記憶した時点以降であって初めて電圧を印加している間に、電流センサ５０により一対の電極１４，１５間に流れる第２電流値Ｉa2を検出して、検出した第２電流値Ｉa2を補正値Ｉcに基づいて補正電流値Ｉbに補正する。なお、第２の所定時間は、電解生成が停止されている一般な停止時間のうち短いものより小さい値に設定されるもので、使用者が任意に設定できる。このとき、この所定時間となる前に電解水の生成が開始された場合には、例えば電解水の生成が開始された時点にて記憶されている補正値Ｉcに基づいて、検出した第２電流値Ｉa2を補正電流値Ｉbに補正する。
【００４６】
また、上記実施形態においては、第１電流値Ｉa1を検出する度毎に、この検出した第１電流値Ｉa1を補正値Ｉcとして記憶するようにしたが（ステップ１４０，１４２）、補正値Ｉcの記憶を必要とする時期を決定し、この決定した時期にのみ第１電流値Ｉa1を補正値Ｉcとして記憶するようにしてもよい。このとき、電気制御回路６０は、図４に示すフローチャートに対応したプログラムを実行する。すなわち、記憶されている補正値Ｉcを検出した時点の装置の内部温度と、第１電流値Ｉa1を検出した時点（ステップ３００）の装置の内部温度がほとんど同じであり（または両時点における温度の差が小さく）、検出した第１電流値Ｉa1と記憶されている補正値Ｉcとの差の絶対値｜Ｉa1−Ｉc｜が所定値Ｃ以下となる場合には、第１電流値Ｉa1を検出した後この検出した第１電流値Ｉa1を補正値Ｉcとして記憶することを省略し（ステップ３０２）、上記実施形態と同様に記憶されている補正値Ｉcに基づいて、検出した第２電流値Ｉa2を補正する。また、記憶されている補正値Ｉcを検出した時点の装置の内部温度と比べて、第１電流値Ｉa1を検出した時点（ステップ３００）の装置の内部温度が大きく変化して、検出した第１電流値Ｉa1と記憶されている補正値Ｉcとの差の絶対値｜Ｉa1−Ｉc｜が所定値Ｃより大きくなる場合には、ステップ３００にて検出した第１電流値Ｉa1を補正値Ｉcとして電気制御回路６０内に更新して記憶し（ステップ３０２，３０４）、上記実施形態と同様に更新記憶した補正値Ｉcに基づいて、検出した第２電流値Ｉa2を補正する。
【００４７】
したがって、記憶されている補正値Ｉcを検出した時点の装置の内部温度と、第１電流値Ｉa1を検出した時点の装置の内部温度がほとんど同じであり（または両時点における温度の差が小さく）、検出した第１電流値Ｉa1と記憶されている補正値Ｉcとの差の絶対値｜Ｉa1−Ｉc｜が所定値Ｃ以下となる場合には、第１電流値Ｉa1を検出する度毎にこの検出した第１電流値Ｉa1を補正値Ｉcとして記憶しなくてもよくなる。したがって、この記憶処理を無駄に実施するのを防止して、必要なときにのみ実施することができる。
【００４８】
なお、所定値Ｃは使用する室温に応じて設定するのが好ましい。これは、内部温度が高くなるにしたがって検出する電流値の誤差は大きくなるので、使用する室温（装置の運転中の飽和内部温度）に応じた所定値Ｃを設定する必要があるためである。例えば室温が１０度であれば所定値Ｃを１アンペア、室温が３０度であれば所定値Ｃを２アンペアに設定すればよい。
【００４９】
また、ステップ３０２，３０４においては補正値Ｉcを自動的に補正するようにしたが、作業者に補正値Ｉcの補正が必要であることを例えば警告ランプを点灯するなどして知らせて、作業者により手動で補正値Ｉcを補正をするようにしてもよい。この場合、警告ランプの点灯を視認した作業者が、補正を開始するための補正スイッチを押す。これに応じて電解水生成装置はステップ３００にて検出した第１電流値Ｉa1（または補正スイッチを押した時点に検出した第１電流値Ｉa1）を補正値Ｉcとして記憶し、上記と同様に更新記憶した補正値Ｉcに基づいて検出した第２電流値Ｉa2を補正する。
【図面の簡単な説明】
【図１】  本発明の一実施形態に係る電解水生成装置の全体図である。
【図２】  図１の電気制御回路（マイクロコンピュータ）により実行される実施形態に係るフローチャートである。
【図３】  図１の電気制御回路（マイクロコンピュータ）により実行され、図２の添加量フィードバックのためのサブルーチンを示すフローチャートである。
【図４】  図１の電気制御回路（マイクロコンピュータ）により実行され、図２のステップ１４０，１４２の処理の変形例を示すフローチャートである。
【図５】  図１の電解水生成装置の作動を示すタイムチャートである。
【符号の説明】
１０…電解槽、１４，１５…電極、２０…給水管、２２…ウオーターバルブ、３８…ポンプ、４０…電源、４１…注出スイッチ（操作スイッチ）、４３…表示ランプ、４５…リモートコントローラ、５０…電流センサ、６０…電気制御回路。
【図１】
0004689817.tif 000002
【図２】
0004689817.tif 000003
【図３】
0004689817.tif 000004
【図４】
0004689817.tif 000005
【図５】
0004689817.tif 000006